(57)【要約】【課題】記録品質に優れた記録を安定して行うことができる記録条件決定方法を提供する。【解決手段】最適な記録条件を決定するために情報記録媒体への試し書きを行う際に、所定の記録品質を維持できる記録パワーの許容範囲が所定の条件を満足するような試し書き条件が、予め決められた数だけ得られるまで試し書きが行われる（ステップ４０１〜４１９）。すなわち、従来では考慮されていなかった記録パワーの許容範囲が記録条件を決定する際の判断条件に含まれている。そこで、所定の記録品質が維持される記録パワーの許容範囲が比較的広いときの試し書き条件に基づいて得られる記録条件を用いて情報を記録することにより、記録中に温度変化などによって光源の発振周波数などが変動しても所定の記録品質を十分に維持することができる。【選択図】  図７
2004185764.tif 000002
【特許請求の範囲】
【請求項１】
レーザ光をパルス発光して情報記録媒体に試し書きを行い、その結果に基づいて前記情報記録媒体に情報を記録する際の最適な記録条件を決定する記録条件決定方法であって、
所定の記録品質を維持できる記録パワーの許容範囲が所定の条件を満足するような試し書き条件が、予め決められた数だけ得られるまで前記試し書きを行う第１工程を含む記録条件決定方法。
【請求項２】
前記第１工程は、所定の範囲で記録パワーを変更して前記試し書きを行う第１副工程と；
前記第１副工程において、前記予め決められた数の試し書き条件が得られない場合に、所定の範囲でパルス形状を変更して前記試し書きを行う第２副工程と；
を含むことを特徴とする請求項１に記載の記録条件決定方法。
【請求項３】
前記情報記録媒体への記録はマルチパルス記録方式で行われ、
前記パルス形状を変更する際には、マーク領域を形成するときの先頭加熱パルス、中間パルス及び冷却パルスのうちの少なくとも１つのパルス幅を変更することを特徴とする請求項２に記載の記録条件決定方法。
【請求項４】
前記情報記録媒体は情報の書き換えが可能であり、
前記パルス形状を変更する際には、記録パワーと消去パワーとの比を変更することを特徴とする請求項２に記載の記録条件決定方法。
【請求項５】
前記第１工程は、前記第２副工程において、前記予め決められた数の試し書き条件が得られない場合に、記録速度を下げて、前記試し書きを行う第３副工程を更に含むことを特徴とする請求項２〜４のいずれか一項に記載の記録条件決定方法。
【請求項６】
前記第１工程で得られた、予め決められた数の試し書き条件に基づいて最適な記録条件を決定する第２工程を更に含むことを特徴とする請求項１〜５のいずれか一項に記載の記録条件決定方法。
【請求項７】
前記予め決められた数は１であり、
前記第２工程では、前記試し書き条件におけるパルス形状を最適なパルス形状とすることを特徴とする請求項６に記載の記録条件決定方法。
【請求項８】
前記予め決められた数は複数であり、
前記第２工程では、前記複数の試し書き条件のうち、前記許容範囲の幅が最も大きい試し書き条件におけるパルス形状を最適なパルス形状とすることを特徴とする請求項６に記載の記録条件決定方法。
【請求項９】
前記第２工程では、前記最適なパルス形状に対応する許容範囲のほぼ中央の値を最適な記録パワーとすることを特徴とする請求項７又は８に記載の記録条件決定方法。
【請求項１０】
前記第１工程では、前記試し書きされたデータを再生する際のブロックエラーレート、前記試し書きされたデータの再生信号における変調度及びアシンメトリのうちの少なくとも１つに基づいて前記記録パワーの許容範囲を求めることを特徴とする請求項１〜９のいずれか一項に記載の記録条件決定方法。
【請求項１１】
レーザ光をパルス発光して情報記録媒体に情報を記録する情報記録装置に用いられるプログラムであって、
所定の記録品質を維持できる記録パワーの許容範囲が所定の条件を満足するような試し書き条件が、予め決められた数だけ得られるまで試し書きを行う第１手順と；
前記予め決められた数の試し書き条件に基づいて最適な記録条件を決定する第２手順と；を前記情報記録装置の制御用コンピュータに実行させるプログラム。
【請求項１２】
レーザ光をパルス発光して情報記録媒体に情報を記録する情報記録装置とともに情報記録システムを構成する情報処理装置で用いられるプログラムであって、
前記情報記録媒体に情報を記録する際のパルス形状を最適化するための条件設定の入力を要求する情報を表示する第１手順と；
前記入力に応じて最適化要求コマンドを前記情報記録装置に出力する第２手順と；を前記情報処理装置に実行させるプログラム。
【請求項１３】
請求項１１又は１２に記載のプログラムが記録されたコンピュータ読み取り可能な記録媒体。
【請求項１４】
レーザ光をパルス発光して情報記録媒体に情報を記録する情報記録装置であって、
前記情報記録媒体に所定の線速度で試し書きを行う試し書き手段と；
前記試し書きの結果に基づいて、所定の記録品質が維持可能な記録パワーの許容範囲の幅が所定の閾値以上となるか否かを判別する判別手段と；
前記判別の結果、前記許容範囲の幅が所定の閾値以上の場合に、その試し書き条件に基づいて最適な記録条件を決定する決定手段と；を備える情報記録装置。
【請求項１５】
前記決定された最適な記録条件が保存されるメモリと；
前記メモリに前記決定された最適な記録条件を保存する保存手段と；を更に備えることを特徴とする請求項１４に記載の情報記録装置。
【請求項１６】
前記保存手段は、前記線速度に関する情報と対応付けて前記最適な記録条件を前記メモリに保存することを特徴とする請求項１５に記載の情報記録装置。
【請求項１７】
前記情報記録媒体の識別情報を取得する識別情報取得手段を更に備え、
前記保存手段は、前記識別情報に関する情報と対応付けて前記最適な記録条件を前記メモリに保存することを特徴とする請求項１５に記載の情報記録装置。
【請求項１８】
前記試し書き手段は、前記メモリに保存されている記録条件を参照して前記試し書きを行うことを特徴とする請求項１５〜１７のいずれか一項に記載の情報記録装置。
【請求項１９】
前記記録条件はパルス形状を含むことを特徴とする請求項１４〜１８のいずれか一項に記載の情報記録装置。
【請求項２０】
前記判別の結果、前記許容範囲の幅が所定の閾値未満の場合に、前記レーザ光のパルス形状を変更して前記試し書き手段に試し書きを指示するパルス形状変更手段を更に備えることを特徴とする請求項１４〜１９のいずれか一項に記載の情報記録装置。
【請求項２１】
前記判別の結果、所定の範囲でパルス形状を変更して前記試し書きを行っても、前記許容範囲の幅が所定の閾値以上となる試し書き条件が得られない場合に、前記線速度を下げて前記試し書き手段に試し書きを指示する速度変更手段を更に備えることを特徴とする請求項２０に記載の情報記録装置。
【請求項２２】
前記判別の結果を外部装置に出力する出力手段を更に備えることを特徴とする請求項１４〜２１のいずれか一項に記載の情報記録装置。
【請求項２３】
前記出力手段は、前記判別の結果、所定の範囲でパルス形状を変更して前記試し書きを行っても、前記許容範囲の幅が所定の閾値以上となる試し書き条件が得られない場合に、警告情報及び最適化可能な記録速度に関する情報を外部装置に出力することを特徴とする請求項２２に記載の情報記録装置。
【請求項２４】
情報記録媒体に情報を記録する情報記録システムであって、
請求項１４〜２３のいずれか一項に記載の情報記録装置と；
前記情報記録装置を制御する情報処理装置と；を備える情報記録システム。
【発明の詳細な説明】
【０００１】
【発明の属する技術分野】
本発明は、記録条件決定方法、プログラム及び記録媒体、情報記録装置、並びに情報記録システムに係り、更に詳しくは、情報記録媒体に情報を記録する際の最適な記録条件を決定する記録条件決定方法、情報記録装置あるいは情報処理装置で用いられるプログラム及び該プログラムが記録された記録媒体、情報記録媒体に情報を記録する情報記録装置、並びに情報記録装置と情報処理装置とを含む情報記録システムに関する。
【０００２】
【従来の技術】
近年、パーソナルコンピュータ（以下「パソコン」と略述する）は、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、情報記録媒体としてＣＤ（ｃｏｍｐａｃｔ  ｄｉｓｃ）やＤＶＤ（ｄｉｇｉｔａｌ  ｖｅｒｓａｔｉｌｅ  ｄｉｓｃ）などの光ディスクが注目されるようになり、その低価格化とともに、情報記録装置としての光ディスク装置がパソコンの周辺機器の一つとして普及するようになった。光ディスク装置では、光ディスクのスパイラル状又は同心円状のトラックが形成された記録面にレーザ光の微小スポットを照射することにより情報の記録及び消去を行い、記録面からの反射光に基づいて情報の再生などを行っている。そして、光ディスク装置には、情報記録媒体の記録面にレーザ光を照射するとともに、記録面からの反射光を受光するための装置として、光ピックアップ装置が設けられている。
【０００３】
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。
【０００４】
光ディスクでは、互いに反射率の異なるマーク領域及びスペース領域と呼ばれる２つの領域のそれぞれの長さとそれらの組み合わせとによって情報が記録される。そこで、光ディスクに情報を記録する際には所定の位置に所定の形状のマーク領域及びスペース領域がそれぞれ形成されるように光源の発光パワーが制御される。
【０００５】
例えば、記録層に特殊合金を含むＣＤ−ＲＷ（ＣＤ−ｒｅｗｒｉｔａｂｌｅ）、ＤＶＤ−ＲＷ（ＤＶＤ−ｒｅｗｒｉｔａｂｌｅ）、及びＤＶＤ＋ＲＷ（ＤＶＤ＋ｒｅｗｒｉｔａｂｌｅ）などの書き換え可能な光ディスク（以下、便宜上「相変化型ディスク」ともいう）では、マーク領域を形成する時には、特殊合金を第１の温度に加熱したのち急冷し、アモルファス（非晶質）状態にしている。一方、スペース領域を形成する時には、特殊合金を第２の温度（＜第１の温度）に加熱したのち徐冷し、結晶状態にしている。これにより、マーク領域では、スペース領域よりも反射率が低くなる。
【０００６】
相変化型ディスクでは、蓄熱の影響を除去するために、一例として図１５に示されるように、書き込みデータＤｗにおけるマーク領域Ｍを形成するときの発光パワーを複数のパルスに分割（マルチパルス化）することが行なわれている。このような発光パワーの制御方式はマルチパルス記録方式とも呼ばれている。また、マルチパルス記録方式におけるマルチパルス化の規則（方式）は、記録ストラテジとも呼ばれている。なお、マーク領域を形成するときの発光パワーにおけるピークレベルの発光パワーＰｗをピークパワー（又は記録パワー）、ボトムレベルの発光パワーＰｒをバイアスパワー、スペース領域を形成するときの発光パワーＰｅをイレーズパワー（消去パワー）という。
【０００７】
上記記録パワー及び記録ストラテジは、いずれも記録条件に含まれ、特に記録品質に大きな影響を与える重要な記録条件である。そこで、最適な記録パワー及び記録ストラテジを求める方法、及び装置が種々提案されている（例えば、特許文献１及び特許文献２参照）。
【０００８】
【特許文献１】
特開２００１−２６６３４６号公報
【特許文献２】
特開平５−２５０６７３号公報
【０００９】
【発明が解決しようとする課題】
【００１０】
レーザ光を出射する光源は、例えば温度変化などによって発光中に発振周波数や出射されるレーザ光のパルス形状などが変動する性質を有しており、記録中の記録パワーや記録ストラテジに影響を及ぼす場合がある。しかしながら、上記特許文献１及び特許文献２では、前記変動を考慮していないため、記録中に記録品質が急に低下するおそれがあった。
【００１１】
本発明は、かかる事情の下になされたもので、その第１の目的は、記録品質に優れた記録を安定して行うことができる記録条件決定方法、情報記録装置及び情報記録システムを提供することにある。
【００１２】
また、本発明の第２の目的は、情報記録装置の制御用コンピュータあるいは情報処理装置にて実行され、記録品質に優れた記録を安定して行うことができるプログラム及びそのプログラムが記録された記録媒体を提供することにある。
【００１３】
【課題を解決するための手段】
請求項１に記載の発明は、レーザ光をパルス発光して情報記録媒体に試し書きを行い、その結果に基づいて前記情報記録媒体に情報を記録する際の最適な記録条件を決定する記録条件決定方法であって、所定の記録品質を維持できる記録パワーの許容範囲が所定の条件を満足するような試し書き条件が、予め決められた数だけ得られるまで前記試し書きを行う第１工程を含む記録条件決定方法である。
【００１４】
これによれば、最適な記録条件を決定するために情報記録媒体への試し書きを行う際に、所定の記録品質を維持できる記録パワーの許容範囲が所定の条件を満足するような試し書き条件が、予め決められた数だけ得られるまで試し書きが行われる。すなわち、従来では考慮されていなかった記録パワーの許容範囲が記録条件を決定する際の判断条件に含まれている。そこで、例えば所定の記録品質が維持される記録パワーの許容範囲が比較的広いときの試し書き条件に基づいて得られる記録条件を用いて情報を記録することにより、記録中に例えば温度変化などによって光源の発振周波数などが変動しても所定の記録品質を十分に維持することができる。従って、記録品質に優れた記録を安定して行うことが可能となる。
【００１５】
この場合において、請求項２に記載の記録条件決定方法の如く、前記第１工程は、所定の範囲で記録パワーを変更して前記試し書きを行う第１副工程と；前記第１副工程において、前記予め決められた数の試し書き条件が得られない場合に、所定の範囲でパルス形状を変更して前記試し書きを行う第２副工程と；を含むこととすることができる。
【００１６】
この場合において、請求項３に記載の記録条件決定方法の如く、前記情報記録媒体への記録はマルチパルス記録方式で行われ、前記パルス形状を変更する際には、マーク領域を形成するときの先頭加熱パルス、中間パルス及び冷却パルスのうちの少なくとも１つのパルス幅を変更することとすることができる。
【００１７】
上記請求項２に記載の記録条件決定方法において、請求項４に記載の記録条件決定方法の如く、前記情報記録媒体は情報の書き換えが可能であり、前記パルス形状を変更する際には、記録パワーと消去パワーとの比を変更することとすることができる。
【００１８】
上記請求項２〜４に記載の各記録条件決定方法において、請求項５に記載の記録条件決定方法の如く、前記第１工程は、前記第２副工程において、前記予め決められた数の試し書き条件が得られない場合に、記録速度を下げて、前記試し書きを行う第３副工程を更に含むこととすることができる。
【００１９】
上記請求項１〜５に記載の各記録条件決定方法において、請求項６に記載の記録条件決定方法の如く、前記第１工程で得られた、予め決められた数の試し書き条件に基づいて最適な記録条件を決定する第２工程を更に含むこととすることができる。
【００２０】
この場合において、請求項７に記載の記録条件決定方法の如く、前記予め決められた数が１の場合には、前記第２工程では、前記試し書き条件におけるパルス形状を最適なパルス形状とすることとしても良い。また、請求項８に記載の記録条件決定方法の如く、前記予め決められた数が複数の場合には、前記第２工程では、前記複数の試し書き条件のうち、前記許容範囲の幅が最も大きい試し書き条件におけるパルス形状を最適なパルス形状とすることとしても良い。
【００２１】
上記請求項７及び８に記載の各記録条件決定方法において、請求項９に記載の記録条件決定方法の如く、前記第２工程では、前記最適なパルス形状に対応する許容範囲のほぼ中央の値を最適な記録パワーとすることとすることができる。
【００２２】
上記請求項１〜９に記載の各記録条件決定方法において、請求項１０に記載の記録条件決定方法の如く、前記第１工程では、前記試し書きされたデータを再生する際のブロックエラーレート、前記試し書きされたデータの再生信号における変調度及びアシンメトリのうちの少なくとも１つに基づいて前記記録パワーの許容範囲を求めることとすることができる。
【００２３】
請求項１１に記載の発明は、レーザ光をパルス発光して情報記録媒体に情報を記録する情報記録装置に用いられるプログラムであって、所定の記録品質を維持できる記録パワーの許容範囲が所定の条件を満足するような試し書き条件が、予め決められた数だけ得られるまで試し書きを行う第１手順と；前記予め決められた数の試し書き条件に基づいて最適な記録条件を決定する第２手順と；を前記情報記録装置の制御用コンピュータに実行させるプログラムである。
【００２４】
これによれば、本発明のプログラムがメインメモリにロードされ、その先頭アドレスがプログラムカウンタにセットされると、情報記録装置の制御用コンピュータは、所定の記録品質を維持できる記録パワーの許容範囲が所定の条件を満足するような試し書き条件が、予め決められた数だけ得られるまで試し書きを行い、予め決められた数の試し書き条件が得られると、その予め決められた数の試し書き条件に基づいて最適な記録条件を決定する。すなわち、本発明のプログラムによれば、情報記録装置の制御用コンピュータに請求項１に記載の発明に係る記録条件決定方法を含む処理を実行させることができ、これにより、記録中に例えば温度変化などによって光源の発振周波数などが変動しても所定の記録品質を維持することができる。従って、記録品質に優れた記録を安定して行うことが可能となる。
【００２５】
請求項１２に記載の発明は、レーザ光をパルス発光して情報記録媒体に情報を記録する情報記録装置とともに情報記録システムを構成する情報処理装置で用いられるプログラムであって、前記情報記録媒体に情報を記録する際のパルス形状を最適化するための条件設定の入力を要求する情報を表示する第１手順と；前記入力に応答して最適化要求コマンドを前記情報記録装置に出力する第２手順と；を前記情報処理装置に実行させるプログラムである。
【００２６】
これによれば、本発明のプログラムがメインメモリにロードされ、その先頭アドレスがプログラムカウンタにセットされると、情報処理装置は、情報記録装置において情報記録媒体に情報を記録する際のパルス形状を最適化するための条件設定の入力を要求する情報を表示し、入力が完了すると、入力された設定内容を含む最適化要求コマンドを情報記録装置に出力する。すなわち、本発明のプログラムによれば、情報記録装置での最適な記録条件を決定する際の条件を、ユーザが任意に設定することが可能となる。そこで、例えば記録するデータ量が多く、記録中において光源温度の比較的大きな変化が予想される場合に、記録速度を一段下げてパルス形状の最適化を指示することにより、情報記録装置では記録品質に優れた記録を安定して行うことが可能となる。
【００２７】
請求項１３に記載の発明は、請求項１１又は１２に記載のプログラムが記録されたコンピュータ読み取り可能な記録媒体である。
【００２８】
これによれば、請求項９又は１０に記載のプログラムが記録されているために、コンピュータに実行させることにより、記録品質に優れた記録を安定して行うことが可能となる。
【００２９】
請求項１４に記載の発明は、レーザ光をパルス発光して情報記録媒体に情報を記録する情報記録装置であって、前記情報記録媒体に所定の線速度で試し書きを行う試し書き手段と；前記試し書きの結果に基づいて、所定の記録品質が維持可能な記録パワーの許容範囲の幅が所定の閾値以上となるか否かを判別する判別手段と；前記判別の結果、前記許容範囲の幅が所定の閾値以上の場合に、その試し書き条件に基づいて最適な記録条件を決定する決定手段と；を備える情報記録装置である。
【００３０】
これによれば、試し書き手段により、所定の線速度で回転している情報記録媒体の試し書き領域に、記録パワーをステップ状に変動させつつレーザ光が照射されて試し書きが行われる。そして、判別手段により、試し書きの結果に基づいて、所定の記録品質が維持可能な記録パワーの許容範囲の幅が所定の閾値以上となるか否かが判別される。その結果、許容範囲の幅が所定の閾値以上となる場合には、決定手段により、その試し書き条件に基づいて最適な記録条件が決定される。すなわち、従来では考慮されていなかった記録パワーの許容範囲が記録条件を決定する際の判断条件に含まれている。そこで、例えば所定の記録品質が維持される記録パワーの許容範囲が比較的広いときの試し書き条件に基づいて得られる記録条件を用いて情報を記録することにより、記録中に例えば温度変化などによって光源の発振周波数などが変動しても所定の記録品質を十分に維持することができる。従って、記録品質に優れた記録を安定して行うことが可能となる。
【００３１】
この場合において、請求項１５に記載の情報記録装置の如く、前記決定された最適な記録条件が保存されるメモリと；前記メモリに前記決定された最適な記録条件を保存する保存手段と；を更に備えることとすることができる。
【００３２】
この場合において、請求項１６に記載の情報記録装置の如く、前記保存手段は、前記線速度に関する情報と対応付けて前記最適な記録条件を前記メモリに保存することとすることができる。
【００３３】
上記請求項１５に記載の情報記録装置において、請求項１７に記載の情報記録装置の如く、前記情報記録媒体の識別情報を取得する識別情報取得手段を更に備え、前記保存手段は、前記識別情報に関する情報と対応付けて前記最適な記録条件を前記メモリに保存することとすることができる。
【００３４】
上記請求項１５〜１７に記載の各情報記録装置において、請求項１８に記載の情報記録装置の如く、前記試し書き手段は、前記メモリに保存されている記録条件を参照して前記試し書きを行うこととすることができる。
【００３５】
上記請求項１４〜１８に記載の各情報記録装置において、請求項１９に記載の情報記録装置の如く、前記記録条件はパルス形状を含むこととすることができる。
【００３６】
上記請求項１４〜１９に記載の各情報記録装置において、請求項２０に記載の情報記録装置の如く、前記判別の結果、前記許容範囲の幅が所定の閾値未満の場合に、前記レーザ光のパルス形状を変更して前記試し書き手段に試し書きを指示するパルス形状変更手段を更に備えることとすることができる。
【００３７】
この場合において、請求項２１に記載の情報記録装置の如く、前記判別の結果、所定の範囲でパルス形状を変更して前記試し書きを行っても、前記許容範囲の幅が所定の閾値以上となる試し書き条件が得られない場合に、前記線速度を下げて前記試し書き手段に試し書きを指示する速度変更手段を更に備えることとすることができる。
【００３８】
上記請求項１４〜２１に記載の各情報記録装置において、請求項２２に記載の情報記録装置の如く、前記判別の結果を外部装置に出力する出力手段を更に備えることとすることができる。
【００３９】
この場合において、請求項２３に記載の情報記録装置の如く、前記出力手段は、前記判別の結果、所定の範囲でパルス形状を変更して前記試し書きを行っても、前記許容範囲の幅が所定の閾値以上となる試し書き条件が得られない場合に、警告情報及び最適化可能な記録速度に関する情報を外部装置に出力することとすることができる。
【００４０】
請求項２４に記載の発明は、情報記録媒体に情報を記録する情報記録システムであって、請求項１４〜２３のいずれか一項に記載の情報記録装置と；前記情報記録装置を制御する情報処理装置と；を備える情報記録システムである。
【００４１】
これによれば、請求項１４〜２３のいずれか一項に記載の情報記録装置が用いられるために、記録品質に優れた記録を安定して行うことが可能となる。
【００４２】
【発明の実施の形態】
以下、本発明の一実施形態を図１〜図１４に基づいて説明する。図１は本発明の一実施形態に係る情報記録システムの概略構成を示すブロック図である。
【００４３】
この図１に示される情報記録システム１０は、情報記録装置としての光ディスク装置２０と、該光ディスク装置２０を制御する情報処理装置としてのホスト５０とを含んで構成されている。
【００４４】
前記光ディスク装置２０は、情報記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、記録媒体としてのＲＯＭ３９、ＣＰＵ４０、ＲＡＭ４１及びメモリとしてのフラッシュメモリ４３などを備えている。なお、図１における接続線は、代表的な信号や情報の流れを示すものであり、各ブロックの接続関係の全てを表すものではない。また、本実施形態では、一例としてＣＤ−ＲＷの規格に準拠した情報記録媒体が光ディスク１５に用いられ、光ディスク１５に記録される情報はＣＤ系の規格であるＥＦＭ（Ｅｉｇｈｔ  ｔｏ  Ｆｏｕｒｔｅｅｎ  Ｍｏｄｕｌａｔｉｏｎ）方式で変調されるものとする。さらに、情報はマルチパルス記録方式で記録されるものとする。
【００４５】
前記光ピックアップ装置２３は、光源としての半導体レーザ、該半導体レーザから出射される光束を光ディスク１５の記録面に導くとともに、前記記録面で反射された戻り光束を所定の受光位置まで導く光学系、前記受光位置に配置され戻り光束を受光する受光器、及び駆動系（フォーカシングアクチュエータ、トラッキングアクチュエータ及びシークモータ等）（いずれも図示省略）などを含んで構成されている。そして、受光器からは、その受光量に応じた信号が再生信号処理回路２８に出力される。
【００４６】
前記再生信号処理回路２８は、図２に示されるように、Ｉ／Ｖアンプ２８ａ、サーボ信号検出回路２８ｂ、ウォブル信号検出回路２８ｃ、ＲＦ信号検出回路２８ｄ、ＡＴＩＰデコーダ２８ｅ、ＣＤデコーダ２８ｆ、ＣＤ−ＲＯＭデコーダ２８ｇ、Ｄ／Ａコンバータ２８ｈ、ピークレベル検出回路２８ｉ、ボトムレベル検出回路２８ｊ、及びＡ／Ｄコンバータ２８ｋなどから構成されている。前記Ｉ／Ｖアンプ２８ａは光ピックアップ装置２３の受光器の出力信号である電流信号を電圧信号に変換するとともに、所定のゲインで増幅する。前記サーボ信号検出回路２８ｂはＩ／Ｖアンプ２８ａの出力信号に基づいてサーボ信号（フォーカスエラー信号やトラックエラー信号）を検出し、サーボコントローラ３３に出力する。前記ウォブル信号検出回路２８ｃはＩ／Ｖアンプ２８ａの出力信号に基づいてウォブル信号を検出する。前記ＡＴＩＰデコーダ２８ｅはウォブル信号からＡＴＩＰ（Ａｂｓｏｌｕｔｅ  Ｔｉｍｅ  Ｉｎ  Ｐｒｅｇｒｏｏｖｅ）情報及び同期信号などを抽出する。ここで抽出されたＡＴＩＰ情報はＣＰＵ４０に出力され、同期信号はエンコーダ２５に出力される。ＣＰＵ４０ではＡＴＩＰ情報から光スポットが形成されている位置を知ることができる。前記ＲＦ信号検出回路２８ｄはＩ／Ｖアンプ２８ａの出力信号に基づいてＲＦ信号を検出する。前記ＣＤデコーダ２８ｆはＲＦ信号に対して復号処理、誤り訂正処理等を行う。なお、復号処理に際して発生したブロックエラー（Ｃ１エラー）はＣＤデコーダ２８ｆからＣＰＵ４０に通知される。ＣＤ−ＲＯＭデコーダ２８ｇはＣＤデコーダ２８ｆからの信号に対して更に誤り訂正処理等を行った後、バッファマネージャ３７を介してバッファＲＡＭ３４に格納する。なお、音楽データの場合にはＣＤデコーダ２８ｆからの信号はＤ／Ａコンバータ２８ｈを介して外部のオーディオ機器などに出力される。ピークレベル検出回路２８ｉはＲＦ信号検出回路２８ｄにてＡＣ結合されたＲＦ信号のピークレベルを検出し、ボトムレベル検出回路２８ｊはＲＦ信号検出回路２８ｄにてＡＣ結合されたＲＦ信号のボトムレベルを検出する。検出されたピークレベル情報及びボトムレベル情報はＡ／Ｄコンバータ２８ｋを介してＣＰＵ４０に出力される。
【００４７】
図１に戻り、前記サーボコントローラ３３は、フォーカスエラー信号に基づいて光ピックアップ装置２３のフォーカシングアクチュエータを制御する制御信号を生成し、トラックエラー信号に基づいて光ピックアップ装置２３のトラッキングアクチュエータを制御する制御信号を生成する。各制御信号はサーボコントローラ３３からモータドライバ２７にそれぞれ出力される。
【００４８】
前記モータドライバ２７は、サーボコントローラ３３からの制御信号に基づいて、光ピックアップ装置２３のフォーカシングアクチュエータ及びトラッキングアクチュエータを駆動する。また、モータドライバ２７は、ＣＰＵ４０の指示に基づいて、前記スピンドルモータ２２及び光ピックアップ装置２３のシークモータを駆動する。
【００４９】
前記バッファマネージャ３７は、バッファＲＡＭ３４へのデータの入出力を管理し、蓄積されたデータ量が所定量になると、ＣＰＵ４０に通知する。
【００５０】
前記エンコーダ２５は、ＣＰＵ４０の指示に基づいて、バッファマネージャ３７を介してバッファＲＡＭ３４からデータを取り出し、データ変調及びエラー訂正コードの付加などを行ない、光ディスク１５への書き込み信号を作成するとともに、再生信号処理回路２８からの同期信号に同期して、書き込み信号をレーザコントロール回路２４に出力する。
【００５１】
前記レーザコントロール回路２４は、図３に示されるように、Ｄ／Ａ変換器２４ａ、パルス調整回路２４ｂ、及び駆動電流出力回路２４ｃなどから構成されている。Ｄ／Ａ変換器２４ａは、ＣＰＵ４０からのパワー信号Ｄｐ１、Ｄｐ２及びＤｐ３を電流信号Ｉｐ１、Ｉｐ２及びＩｐ３にそれぞれ変換する。図４に示されるように、信号Ｉｐ１はバイアスパワーＰｒに対応する電流信号、信号Ｉｐ２はピークパワーＰｗとバイアスパワーＰｒとの差に対応する電流信号、信号Ｉｐ３はイレーズパワーＰｅとバイアスパワーＰｒとの差に対応する電流信号である。パルス調整回路２４ｂは、ＣＰＵ４０からのパルス調整信号Ｓｐｕｌｓに基づいてエンコーダ２５からの書き込み信号ＷＤに対してパルス幅を調整するとともに、パルス調整された書き込み信号に応じて重畳信号Ｄｅｆｍを駆動電流出力回路２４ｃに出力する。これにより、駆動電流出力回路２４ｃからは、バイアスパワーＰｒで発光するときはＩｐ１（以下、「バイアス電流」ともいう）が駆動電流Ｉｄｒｖとして光ピックアップ装置２３の半導体レーザに供給され、ピークパワーＰｗで発光するときはＩｐ１＋Ｉｐ２（以下、「ピーク電流」ともいう）が駆動電流Ｉｄｒｖとして半導体レーザに供給される。また、イレーズパワーＰｅで発光するときはＩｐ１＋Ｉｐ３（以下、「イレーズ電流」ともいう）が駆動電流Ｉｄｒｖとして半導体レーザに供給される。
【００５２】
図１に戻り、前記インターフェース３８は、ホスト４９との双方向の通信インターフェースであり、ＡＴＡＰＩ（ＡＴ  Ａｔｔａｃｈｍｅｎｔ  Ｐａｃｋｅｔ  Ｉｎｔｅｒｆａｃｅ）、ＳＣＳＩ（Ｓｍａｌｌ  Ｃｏｍｐｕｔｅｒ  Ｓｙｓｔｅｍ  Ｉｎｔｅｒｆａｃｅ）及びＵＳＢ（Ｕｎｉｖｅｒｓａｌ  Ｓｅｒｉａｌ  Ｂｕｓ）などの標準インターフェースに準拠している。
【００５３】
前記フラッシュメモリ４３には、後述する最適な記録ストラテジ情報及び最適なピークパワー情報を含む最適な記録条件に関する情報が、光ディスクの識別情報及び線速度毎に格納される。なお、フラッシュメモリ４３は不揮発性のメモリであり、格納されている内容は電源供給が停止されても消えることはない。
【００５４】
前記ＲＯＭ３９はプログラム領域とデータ領域とを備えており、プログラム領域には、ＣＰＵ４０にて解読可能なコードで記述されたプログラムが格納されている。このプログラムには、後述する光ディスクの記録領域に情報を記録する際の最適な記録条件を決定する本発明に係るプログラム（以下「記録条件決定プログラム」という）が含まれている。また、データ領域には、光ディスクの種類（例えばベンダ）別に、それが対応している線速度毎に、それぞれ基準となる記録ストラテジ情報（以下「基準ストラテジ情報」と略述する）や基準となるパワー情報（以下「基準パワー情報」と略述する）などが格納されている。なお、光ディスク装置２０の電源がオン状態になると、ＲＯＭ３９のプログラム領域に格納されているプログラムは不図示のメインメモリにロードされ、前記ＣＰＵ４０はそのプログラムに従って上記各部の動作を制御するとともに、制御に必要なデータ等を一時的にＲＡＭ４１に保存する。すなわち、ＣＰＵ４０はメインメモリやＲＡＭ４１などとともに制御用コンピュータとしての機能を有している。
【００５５】
記録ストラテジ情報は、一例として図５に示されるように、先頭加熱パルス幅ＦＰ、中間加熱パルス幅ＭＰ、及び最終冷却パルス幅ＥＰなどによって特定される。
【００５６】
記録領域に記録されたデータの記録品質を評価する指標の一つとして、ブロックエラーレート（以下「ＢＬＥＲ」という）がある。このＢＬＥＲは、ＣＤデコーダ２８ｆでの復号処理の際に検出されるＣ１エラーと同じ意味で用いられ、通常１秒間に発生したブロックエラーの数で表される。ＢＬＥＲは０であることが望ましいが、エラーが発生してもそのエラー数が少ない場合には復元が容易なため、本実施形態では、一例としてＢＬＥＲの許容範囲を５０未満とする。
【００５７】
図１に戻り、前記ホスト５０は、主制御装置５２、インターフェース５４、ハードディスク（ＨＤＤ）５６、入力装置５７及び表示装置５８などを備えている。
【００５８】
前記主制御装置５２は、マイクロコンピュータ、メインメモリ（いずれも不図示）などを含んで構成され、ホスト５０の全体を制御する。
【００５９】
前記インターフェース５４は、光ディスク装置２０との双方向の通信インターフェースであり、ＡＴＡＰＩ、ＳＣＳＩ及びＵＳＢ等の標準インターフェースに準拠している。インターフェース５４は光ディスク装置２０のインターフェース３８と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００６０】
前記ハードディスク５６には、主制御装置５２のマイクロコンピュータで解読可能なコードで記述された、後述するパルス形状の最適化を要求する本発明に係るプログラム（以下、「最適化要求プログラム」という）を含むプログラムが格納されている。なお、ホスト５０の電源がオン状態になると、上記最適化要求プログラムを含む所定のプログラムが主制御装置５２のメインメモリにロードされる。
【００６１】
表示装置５８は、例えばＣＲＴ、液晶ディスプレイ（ＬＣＤ）及びプラズマディスプレイパネル（ＰＤＰ）などの表示部（図示省略）を備え、主制御装置５２からの各種情報を表示する。
【００６２】
入力装置５７は、例えばキーボード、マウス及びポインティングパッドなどのうち少なくとも１つの入力媒体（図示省略）を備え、ユーザから入力された各種情報を主制御装置５２に通知する。なお、入力媒体からの情報はワイヤレス方式で入力されても良い。また、表示装置５８と入力装置５７とが一体化したものとして、例えばタッチパネル付きＣＲＴなどがある。
【００６３】
ここで、前述の如く構成される情報記録システム１０を用いて、光ディスク１５にユーザデータを記録する際のパルス形状の最適化について説明する。
【００６４】
先ず、ユーザによってホスト５０の入力装置５７を介してパルス形状の最適化要求が入力されると、主制御装置５２のマイクロコンピュータのプログラムカウンタに図６のフローチャートに対応するプログラムの先頭アドレスがセットされ、処理がスタートする。なお、図６のフローチャートは、主制御装置５２のマイクロコンピュータによって実行される一連の処理アルゴリズムに対応している。
【００６５】
最初のステップ３０１では、パルス形状の最適化を実施する際の記録速度及び調整項目などの設定内容を表示装置５８に表示する。
【００６６】
次のステップ３０３では、ユーザの設定が完了するのを待つ。ここで、入力装置５７を介して設定完了が入力されると、ステップ３０３での判断は肯定され、次のステップ３０５に移行する。
【００６７】
このステップ３０５では、設定された記録速度及び調整項目を付加した最適化コマンドを発行する。本実施形態では、調整項目として、先頭加熱パルス幅ＦＰ、中間加熱パルス幅ＭＰ、最終冷却パルス幅ＥＰ、及びピークパワーＰｗとイレーズパワーＰｅとの比（以下「パワー比ε」という）のうちの少なくとも１つが指定されるものとする。
【００６８】
次のステップ３０７では、光ディスク装置２０からの応答を待つ。ここで、光ディスク装置２０からの応答を受信すると、ステップ３０９に移行する。
【００６９】
このステップ３０９では、受信した情報を表示装置５８に表示する。そして、処理を終了する。
【００７０】
光ディスク装置２０では最適化コマンドを受信すると、ＣＰＵ４０のプログラムカウンタに図７のフローチャートに対応するプログラムの先頭アドレスがセットされ、処理がスタートする。なお、図７のフローチャートは、ＣＰＵ４０によって実行される一連の処理アルゴリズムに対応している。また、光ディスク１５の記録領域におけるデータ領域の外周側にＯＰＣ（Ｏｐｔｉｍｕｍ  Ｐｏｗｅｒ  Ｃｏｎｔｒｏｌ）処理の際に利用できるパワーキャリブレーションエリア（Ｐｏｗｅｒ  Ｃａｌｉｂｒａｔｉｏｎ  Ａｒｅａ：以下「外周ＰＣＡ」という）が設けられているものとする。さらに、光ディスク１５の種別情報（例えばベンダ情報）は光ディスク１５がローディングされたときにすでに取得されているものとする。
【００７１】
最初のステップ４０１では、最適化コマンドに付加されている線速度情報を抽出し、光ディスク１５を指定された線速度Ｖ０で回転させるための制御信号をモータドライバ２７に出力するとともに、最適化コマンドを受信した旨を再生信号処理２８に通知する。これにより、再生信号処理２８では最適化処理に対応した処理モードに移行することとなる。
【００７２】
次のステップ４０３では、最適化コマンドに付加されている調整項目に関する情報を抽出する。
【００７３】
次のステップ４０５では、光ディスク１５の識別情報と指定された線速度とをキーとしてフラッシュメモリ４３を検索し、対応するストラテジ情報及びパワー情報を抽出する。なお、対応するストラテジ情報及びパワー情報がフラッシュメモリ４３に記録されていなければ、ＲＯＭ３９のデータ領域を検索し、対応する基準ストラテジ情報及び基準パワー情報を抽出する。そして、抽出した各情報と調整項目とに基づいて記録ストラテジ及び発光パワーを初期化し、パルス調整回路２４ｂ及びＤ／Ａ変換器２４ａにそれぞれ出力する。
【００７４】
次のステップ４０７では、データカウンタＣに０をセットし、初期化する。
【００７５】
次のステップ４０９では、ＯＰＣを実施する。ここでは、ピークパワーを所定のステップで変化させつつ外周ＰＣＡにテストデータを記録する。なお、テストデータとしては、通常のＯＰＣと同様に、ＥＦＭ方式で変調された書き込み信号において３Ｔ〜１１Ｔ（Ｔはチャンネルクロックの周期）のパルスがほぼ等しい頻度で出現するデータが用いられる。なお、本実施形態では、調整項目が中間加熱パルス幅ＭＰのときは、一例として図８に示されるように、ピークパワーを２１ｍＷ〜３２ｍＷまで変化させている。調整項目が先頭加熱パルス幅ＦＰのときは、一例として図９に示されるように、ピークパワーを２６ｍＷ〜３５ｍＷまで変化させている。調整項目が最終冷却パルス幅ＥＰのときは、一例として図１０に示されるように、ピークパワーを２６ｍＷ〜３５ｍＷまで変化させている。調整項目がパワー比εのときは、一例として図１１に示されるように、ピークパワーを２４ｍＷ〜３３ｍＷまで変化させている。
【００７６】
次のステップ４１１では、ＯＰＣで記録された領域を再生し、ピークパワー毎に上述したＢＬＥＲを計測する。そして、ＢＬＥＲ＜５０が満足されるときのピークパワーの有効範囲を求める。ここでは、Ｐｗ１＜Ｐｗ＜Ｐｗ２という有効範囲が得られたものとする。そして、次の（１）式に基づいてパワーマージンＰＭを算出する。
【００７７】
ＰＭ＝Ｐｗ２−Ｐｗ１  …（１）
【００７８】
例えば調整項目が中間加熱パルス幅ＭＰの場合には、一例として図８に示されるように、パルス幅が７／１２Ｔであれば、Ｐｗ１＝２５ｍＷ、Ｐｗ２＝３０ｍＷであり、ＰＭ＝５ｍＷとなる。例えば調整項目が先頭加熱パルス幅ＦＰの場合には、一例として図９に示されるように、パルス幅が１．２Ｔであれば、Ｐｗ１＝２７ｍＷ、Ｐｗ２＝３５ｍＷであり、ＰＭ＝８ｍＷとなる。例えば調整項目が最終冷却パルス幅ＥＰの場合には、一例として図１０に示されるように、パルス幅が０．６Ｔであれば、Ｐｗ１＝２９ｍＷ、Ｐｗ２＝３５ｍＷであり、ＰＭ＝６ｍＷとなる。例えば調整項目がパワー比εの場合には、一例として図１１に示されるように、ε＝０．２６であれば、Ｐｗ１＝２５ｍＷ、Ｐｗ２＝３３ｍＷであり、ＰＭ＝８ｍＷとなる。
【００７９】
次のステップ４１３では、算出されたパワーマージンＰＭが予め設定されている閾値（例えば８ｍＷ）以上であるか否かを判断する。パワーマージンＰＭが閾値未満であれば、ここでの判断は否定されステップ４１５に移行する。なお、閾値は、任意の値に変更可能であり、例えばホストから変更することができる。
【００８０】
このステップ４１５では、調整項目の設定値を変更する。例えば調整項目が中間加熱パルス幅ＭＰであれば、そのパルス幅を７／１２Ｔから６／１２Ｔに変更する。そして、ステップ４０９に戻る。以降、ステップ４１３での判断が肯定されるまで、ステップ４０９→４１１→４１３→４１５の処理、判断が繰り返し行われる。
【００８１】
そして、ステップ４１３において、パワーマージンＰＭが閾値以上であれば、ここでの判断は肯定されステップ４１７に移行する。
【００８２】
このステップ４１７では、そのときのパワーマージンＰＭ、ピークパワーの有効範囲及び記録ストラテジ情報などを第１の最適化情報としてＲＡＭ４１に保存する。そして、データカウンタＣの値に１を加算する（ここではＣ＝１）。
【００８３】
次のステップ４１９では、データカウンタＣの値が２以上であるか否かを判断する。ここでは、データカウンタＣの値は１であるため、ステップ４１９での判断は否定されステップ４１５に戻る。以降、ステップ４１３での判断が肯定されるまで、ステップ４０９→４１１→４１３→４１５の処理、判断が繰り返し行われる。
【００８４】
そして、ステップ４１３での判断が肯定されると、ステップ４１７に移行する。
【００８５】
このステップ４１７では、そのときのパワーマージンＰＭ、ピークパワーの有効範囲及び記録ストラテジ情報などを第２の最適化情報としてＲＡＭ４１に保存する。そして、データカウンタＣの値に１を加算する（ここではＣ＝２）。
【００８６】
次のステップ４１９では、データカウンタＣの値が２以上であるか否かを判断する。ここでは、データカウンタＣの値は２であるため、ステップ４１９での判断は肯定されステップ４２１に移行する。
【００８７】
このステップ４２１では、ＲＡＭ４１に保存されている第１、第２の最適化情報を比較し、パワーマージンＰＭの大きいほうの記録ストラテジを最適な記録ストラテジとする。
【００８８】
次のステップ４２３では、次の（２）式に基づいて最適なピークパワーＰｗを算出する。すなわち、最適な記録ストラテジにおけるピークパワーの有効範囲の中央値を最適なピークパワーとする。
【００８９】
Ｐｗ＝（Ｐｗ１＋Ｐｗ２）／２  …（２）
【００９０】
次のステップ４２５では、最適な記録ストラテジ情報及び最適なピークパワー情報を含む最適な記録条件に関する情報を、光ディスク１５の識別情報及び線速度に対応させてフラッシュメモリ４３に記録する。
【００９１】
次のステップ４２７では、線速度及び最適な記録条件に関する情報とともに最適化が正常に終了したことをホストに通知する。また、最適化の終了を再生信号処理２８に通知する。これにより、再生信号処理２８では通常の処理モードに戻ることとなる。そして、最適化コマンドを受信したときの処理を終了する。
【００９２】
ここで、光ディスク装置２０を用いて、光ディスク１５に対するデータの記録を行なう場合の処理について簡単に説明する。なお、上記最適化コマンドを受信したときの処理はすでに行われているものとする。
【００９３】
ＣＰＵ４０は、ホストから記録要求のコマンドを受信すると、記録速度に応じてスピンドルモータ２２の回転を制御するための制御信号をモータドライバ２７に出力するとともに、記録要求のコマンドを受信した旨を再生信号処理回路２８に通知する。また、ＣＰＵ４０はホストから受信したデータ（以下、「ユーザデータ」という）をバッファＲＡＭ３４に蓄積するようにバッファマネージャ３７に指示する。
【００９４】
ＣＰＵ４０は、光ディスク１５の識別情報と記録速度に対応する線速度とをキーとしてフラッシュメモリ４３を検索し、対応するストラテジ情報及びパワー情報を抽出する。そして、各情報に基づいて、パルス調整信号Ｓｐｕｌｓをパルス調整回路２４ｂに出力するとともに、パワー信号Ｄｐ１、Ｄｐ２及びＤｐ３をＤ／Ａ変換器２４ａに出力する。
【００９５】
光ディスク１５の回転が所定の線速度に達すると、再生信号処理回路２８は光ピックアップ装置２３の出力信号に基づいてサーボ信号（トラックエラー信号及びフォーカスエラー信号）を検出し、その検出結果をサーボコントローラ３３に出力する。
【００９６】
サーボコントローラ３３は、トラックエラー信号に基づいてモータドライバ２７を介して光ピックアップ装置２３のトラッキングアクチュエータを制御し、トラックずれを補正する。また、サーボコントローラ３３はフォーカスエラー信号に基づいてモータドライバ２７を介して光ピックアップ装置２３のフォーカシングアクチュエータを制御し、フォーカスずれを補正する。このようにして、トラッキング制御及びフォーカス制御が行われる。なお、トラッキング制御及びフォーカス制御は記録処理が終了するまで随時行われる。
【００９７】
また、再生信号処理回路２８は光ピックアップ装置２３の出力信号に基づいてウォブル信号を検出し、そのウォブル信号から抽出したＡＴＩＰ情報をＣＰＵ４０に通知する。そして、ＣＰＵ４０は再生信号処理回路２８からのＡＴＩＰ情報に基づいて、指定された書き込み開始地点に光ピックアップ装置２３が位置するように光ピックアップ装置２３のシークモータを制御する信号をモータドライバ２７に出力する。なお、再生信号処理回路２８はＡＴＩＰ情報の抽出を所定のタイミング毎に行い、抽出したＡＴＩＰ情報をＣＰＵ４０に通知する。
【００９８】
ＣＰＵ４０はバッファマネージャ３７からバッファＲＡＭ３４に蓄積されたユーザデータのデータ量が所定の量を超えたとの通知を受けると、エンコーダ２５に書き込み信号の作成を指示する。光ピックアップ装置２３が書き込み開始地点に到達すると、ＣＰＵ４０はエンコーダ２５に通知する。これにより、ユーザデータは、エンコーダ２５、レーザコントロール回路２４及び光ピックアップ装置２３を介して記録される。ホストからのユーザデータがすべて記録されると、記録処理を終了する。
【００９９】
なお、例えばいわゆるＺＣＬＶ（Ｚｏｎｅ  Ｃｏｎｓｔａｎｔ  Ｌｉｎｅａｒ  Ｖｅｌｏｃｉｔｙ）やＣＡＶ（Ｃｏｎｓｔａｎｔ  Ａｎｇｕｌａｒ  Ｖｅｌｏｃｉｔｙ）方式での記録のように、記録する領域によって線速度を変える場合には、その線速度に応じて記録パワー及び記録ストラテジを変えるのが好ましい。
【０１００】
また、光ディスク装置２０を用いて、光ディスク１５に記録されているデータを再生する場合の処理動作について簡単に説明する。
【０１０１】
ＣＰＵ４０は、ホストから再生要求のコマンドを受信すると、再生速度に基づいてスピンドルモータ２２の回転を制御するための制御信号をモータドライバ２７に出力するとともに、再生要求のコマンドを受信した旨を再生信号処理回路２８に通知する。
【０１０２】
光ディスク１５の回転が所定の線速度に達すると、前述の如くしてトラッキング制御及びフォーカス制御が行われる。なお、トラッキング制御及びフォーカス制御は再生処理が終了するまで随時行われる。そして、再生信号処理回路２８は、光ピックアップ装置２３の出力信号に基づいてＡＴＩＰ情報を取得し、ＣＰＵ４０に通知する。なお、再生信号処理回路２８は、再生処理が終了するまで所定のタイミング毎にＡＴＩＰ情報を取得し、ＣＰＵ４０に通知する。
【０１０３】
ＣＰＵ４０は、ＡＴＩＰ情報に基づいて読み出し開始地点に光ピックアップ装置２３が位置するようにシークモータを制御する信号をモータドライバ２７に出力する。そして、光ピックアップ装置２３が読み出し開始地点に到達すると、ＣＰＵ４０は再生信号処理回路２８に通知する。
【０１０４】
そして、再生信号処理回路２８は、光ピックアップ装置２３の出力信号に基づいてＲＦ信号を検出し、復調処理、誤り訂正処理等を行った後、再生データとしてバッファＲＡＭ３４に蓄積する。バッファマネージャ３７は、バッファＲＡＭ３４に蓄積された再生データがセクタデータとして揃ったときに、インターフェース３８を介してホストに転送する。
【０１０５】
以上の説明から明らかなように、本実施形態に係る光ディスク装置では、ＣＰＵ４０及び該ＣＰＵ４０によって実行されるプログラムとによって、試し書き手段、判別手段、決定手段、保存手段、識別情報取得手段、パルス形状変更手段、速度変更手段及び出力手段が実現されている。すなわち、図７のステップ４０９の処理によって試し書き手段が、図７のステップ４１３の処理によって判別手段が、図７のステップ４１５の処理によってパルス形状変更手段が、図７のステップ４２１の処理によって決定手段が、図７のステップ４２５の処理によって保存手段が、図７のステップ４２７の処理によって出力手段が実現されている。しかしながら、本発明がこれに限定されるものではないことは勿論である。すなわち、上記実施形態は一例に過ぎず、上記のＣＰＵ４０によるプログラムに従う処理によって実現した構成各部の少なくとも一部をハードウェアによって構成することとしても良いし、あるいは全ての構成部分をハードウェアによって構成することとしても良い。
【０１０６】
また、本実施形態では、ハードディスク５６にインストールされているプログラムのうち、図６のフローチャートで示される処理に対応するプログラムによって前記最適化要求プログラムが構成され、ＲＯＭ３９にインストールされているプログラムのうち、図７のフローチャートで示される処理に対応するプログラムによって前記記録条件決定プログラムが構成されている。
【０１０７】
そして、図７のステップ４０１〜４２３の処理によって本発明に係る記録条件決定方法が実施されている。
【０１０８】
以上説明したように、本実施形態によると、光ディスク装置２０は、ホスト５０から最適化コマンドを受信すると、指定された記録速度に対応する線速度での試し書きを行い、その結果に基づいて、所定の記録品質が維持可能な記録パワーの許容範囲を求めている。そして、その許容範囲の幅が所定の閾値以上となる２つのパルス形状を求め、そのうち許容範囲の幅が大きいほうのパルス形状を最適なパルス形状と決定し、そのパルス形状のレーザ光を用いて光ディスク１５に情報を記録している。従って、記録中に例えば温度変化などによって光源の発振周波数などが変動しても所定の記録品質を維持することができる。すなわち、記録品質に優れた記録を安定して行うことが可能となる。
【０１０９】
また、本実施形態によると、最適なパルス形状に対応する許容範囲の中央の値を最適な記録パワーとしているため、記録中に半導体レーザの発光パワーが変動しても、記録品質に優れた記録を安定して行うことが可能となる。
【０１１０】
なお、上記実施形態において、所定の範囲内で調整項目の設定値を変更しても、パワーマージンが一度も閾値以上とならない場合には、最適化ができなかったことを警報情報としてホスト５０に通知しても良い。また、そのときに最適化可能な記録速度情報を付加しても良い。そして、その場合には、ホスト５０からの次の指示を待っても良いが、線速度を一段階下げて再度上記処理を行っても良いし、あるいは、調整項目を変更して再度上記処理を行っても良い。これにより、確実に記録品質に優れた記録を安定して行うことが可能となる。
【０１１１】
また、上記実施形態において、所定の範囲内で調整項目の設定値を変更しても、第１の最適化情報だけしか得られなかった場合には、その第１の最適化情報における記録ストラテジを最適な記録ストラテジとしても良い。
【０１１２】
また、上記実施形態では、第１、第２の最適化情報に基づいて最適な記録ストラテジを求める場合について説明したが、本発明がこれに限定されるものではない。例えば第１の最適化情報のみに基づいて最適な記録ストラテジを求めても良い。この場合には、図７におけるステップ４０７、４１７及びステップ４１９は不要である。また、データカウンタＣも不要である。また、３つ以上の最適化情報に基づいて最適な記録ストラテジを求めても良い。この場合には、図７におけるステップ４１９の判断条件を変更すれば良い。
【０１１３】
また、上記実施形態では、記録領域に記録されたデータの記録品質を評価する指標としてＢＬＥＲを用いる場合について説明したが、これに限らず、例えばいわゆるβ値を用いても良い。このβ値は次の（３）式によって算出される。なお、Ｌｐはピークレベル検出回路２８ｅで検出されたＲＦ信号のピークレベルであり、Ｌｂはボトムレベル検出回路２８ｆで検出されたＲＦ信号のボトムレベルである。また、ＲＦ信号は反射率が低いほどその信号レベルが低くなるように設定されている。
【０１１４】
β＝（Ｌｐ＋Ｌｂ）／（Ｌｐ−Ｌｂ）  ……（３）
【０１１５】
そこで、ピークパワーＰｗが最適であれば、一例として図１２（Ａ）に示されるようにＬｐ＋Ｌｂはほぼ０となり、β値もほぼ０となる。また、ピークパワーＰｗが過大であれば、マーク領域の長さが長くなるために、一例として図１２（Ｂ）に示されるようにＬｐ＋Ｌｂ＞０となり、β＞０となる。さらに、ピークパワーＰｗが不足であれば、マーク領域の長さが短くなるために、一例として図１２（Ｃ）に示されるようにＬｐ＋Ｌｂ＜０となり、β＜０となる。すなわち、β値の許容範囲を予め決めておけば、その許容範囲を満足することを条件としてピークパワーの有効範囲を求めることができる。
【０１１６】
また、ＢＬＥＲの代わりにアシンメトリを用いても良い。アシンメトリとは、ＲＦ信号における信号の対称性からのずれ量と全体の振幅との比である。この場合には、例えばアシンメトリが−１５％から−５％までを許容範囲とすれば、一例として図１３に示されるように、調整項目が中間加熱パルス幅ＭＰの場合には、パルス幅が７／１２Ｔであれば、Ｐｗ１＝２４ｍＷ、Ｐｗ２＝３０ｍＷであり、ＰＭ＝６ｍＷとなる。
【０１１７】
また、ＢＬＥＲの代わりに変調度を用いても良い。この場合には、例えば変調度が０．６５を超えるところを許容範囲とすれば、一例として図１４に示されるように、調整項目が中間加熱パルス幅ＭＰの場合には、パルス幅が７／１２Ｔであれば、Ｐｗ１＝２４ｍＷ、Ｐｗ２＝３０ｍＷであり、ＰＭ＝６ｍＷとなる。
【０１１８】
さらに、ＢＬＥＲ、β値、アシンメトリ及び変調度のうち少なくとも２つを組み合わせて、パワーマージンを求めても良い。例えば、ＢＬＥＲとアシンメトリと変調度とを用いると、調整項目が中間加熱パルス幅ＭＰの場合には、パルス幅が７／１２Ｔであれば、Ｐｗ１＝２５ｍＷ、Ｐｗ２＝３０ｍＷであり、ＰＭ＝５ｍＷとなり、パルス幅が６／１２Ｔであれば、Ｐｗ１＝２２ｍＷ、Ｐｗ２＝３２ｍＷであり、ＰＭ＝１０ｍＷとなり、パルス幅が５／１２Ｔであれば、Ｐｗ１＝２６ｍＷ、Ｐｗ２＝３２ｍＷであり、ＰＭ＝６ｍＷとなる。そこで、パルス幅６／１２Ｔが最適値とされ、最適なピークパワーは２７ｍＷ（＝（２２＋３２）／２）となる。
【０１１９】
また、上記実施形態では、ＢＬＥＲの許容範囲を５０未満とする場合について説明したが、これに限定されるものではない。
【０１２０】
また、上記実施形態では、光ディスクがＣＤ−ＲＷの場合について説明したが、これに限らず、マルチパルス記録方式で記録を行う情報記録媒体であれば良い。
【０１２１】
また、上記実施形態では、前記最適化要求プログラムはハードディスク５６に記録されているが、他の記録媒体（ＣＤ−ＲＯＭ、光磁気ディスク、フラッシュメモリ、フレキシブルディスク等）に記録されていても良い。また、他の記録媒体からハードディスク５６に転送しても良い。さらに、ネットワークを介してハードディスク５６あるいはメインメモリに転送しても良い。要するに、最適化要求プログラムが主制御装置５２のメインメモリにロードされれば良い。同様に、前記記録条件決定プログラムはＲＯＭ３９に記録されているが、他の記録媒体（ＣＤ−ＲＯＭ、光磁気ディスク、フラッシュメモリ、フレキシブルディスク等）に記録されていても良い。要するに、記録条件決定プログラムがＣＰＵ４０のメインメモリにロードされれば良い。
【０１２２】
また、上記実施形態では、ホスト５０と光ディスク装置２０とは、同一の筐体内に配置されていても良いし、個別の筐体内に配置されても良い。
【０１２３】
また、上記実施形態では、情報記録装置として情報の記録及び再生が可能な光ディスク装置について説明したが、これに限らず、情報の記録、再生及び消去のうち少なくとも記録が可能な光ディスク装置であれば良い。
【０１２４】
【発明の効果】
以上説明したように、本発明に係る記録条件決定方法、情報記録装置及び情報記録システムによれば、記録品質に優れた記録を安定して行うことができるという効果がある。
【０１２５】
また、本発明に係るプログラム及び記録媒体によれば、情報記録装置の制御用コンピュータあるいは情報処理装置に実行させることにより、記録品質に優れた記録を安定して行うことができるという効果がある。
【図面の簡単な説明】
【図１】本発明の一実施形態に係る情報記録システムの構成を示すブロック図である。
【図２】図１における再生信号処理回路の詳細構成を説明するためのブロック図である。
【図３】図１におけるレーザコントロール回路の詳細構成を説明するためのブロック図である。
【図４】マルチパルス記録方式における駆動電流を説明するための図である。
【図５】記録ストラテジにおけるパルス幅を説明するための図である。
【図６】本発明に係るパルス形状の最適化要求処理を説明するためのフローチャートである。
【図７】本発明に係る最適なパルス形状の決定処理を説明するためのフローチャートである。
【図８】調整項目が中間加熱パルス幅の場合のＢＬＥＲとピークパワーとの関係を説明するための図である。
【図９】調整項目が先頭加熱パルス幅の場合のＢＬＥＲとピークパワーとの関係を説明するための図である。
【図１０】調整項目が最終冷却パルス幅の場合のＢＬＥＲとピークパワーとの関係を説明するための図である。
【図１１】調整項目がパワー比の場合のＢＬＥＲとピークパワーとの関係を説明するための図である。
【図１２】図１２（Ａ）〜図１２（Ｃ）は、それぞれβ値を説明するための図である。
【図１３】調整項目が中間加熱パルス幅の場合のアシンメトリとピークパワーとの関係を説明するための図である。
【図１４】調整項目が中間加熱パルス幅の場合の変調度とピークパワーとの関係を説明するための図である。
【図１５】マルチパルス記録方式を説明するための図である。
【符号の説明】
１０…情報記録システム、１５…光ディスク（情報記録媒体）、２０…光ディスク装置（情報記録装置）、３９…ＲＯＭ（記録媒体）、４０…ＣＰＵ（試し書き手段、判別手段、決定手段、保存手段、識別情報取得手段、パルス形状変更手段、速度変更手段、出力手段）、４３…フラッシュメモリ（メモリ）、５０…ホスト（情報処理装置）、５６…ＨＤＤ（記録媒体）。
【図１】
2004185764.tif 000003
【図２】
2004185764.tif 000004
【図３】
2004185764.tif 000005
【図４】
2004185764.tif 000006
【図５】
2004185764.tif 000007
【図６】
2004185764.tif 000008
【図７】
2004185764.tif 000009
【図８】
2004185764.tif 000010
【図９】
2004185764.tif 000011
【図１０】
2004185764.tif 000012
【図１１】
2004185764.tif 000013
【図１２】
2004185764.tif 000014
【図１３】
2004185764.tif 000015
【図１４】
2004185764.tif 000016
【図１５】
2004185764.tif 000017